(57)【特許請求の範囲】
【請求項１】
カード挿入口から挿入されたカードをカード取込み通路内に取り込み、一時的に停止させカード処理部によってカードのデータを処理した後に、カード挿入口から排出するカード処理装置におけるカード係止構造において、手動によってカード挿入方向に移動することによりカード挿入口から挿入されたカードを保持して取り込み、かつ移動方向に平行な一側端に係合凹部を設けたカード取込み手段と、このカード取込み手段をカード排出方向に付勢する第１の付勢手段と、前記カード取込み手段の係合凹部に係脱自在に係合し回動自在に支持された押圧部材と、この押圧部材と前記係合凹部との係合状態を保持または解除する係止手段と、前記押圧部材を前記カード挿入方向に付勢する第２の付勢手段とを備えたことを特徴とするカード処理装置におけるカード係止構造。
【請求項２】
請求項１記載のカード処理装置におけるカード係止構造において、前記第２の付勢手段を、装置固定部と前記押圧部材との間に懸架した引張コイルばねとし、前記押圧部材の初期位置における回動中心と前記引張コイルばねの両端を結線した線分との距離を、前記押圧部材の回動終端位置における回動中心と前記引張コイルばねの両端を結線した線分との距離より小さくなるように設定したことを特徴とするカード処理装置におけるカード係止構造。
【請求項３】
請求項１記載のカード処理装置におけるカード係止構造において、前記第２の付勢手段を、装置固定部と前記押圧部材との間に懸架した引張コイルばねとし、前記カード取込み手段の係合凹部に係合し回動した前記押圧部材の回動終端位置において、この押圧部材の係合凹部との係合部と、押圧部材の回動中心と、押圧部材の前記引張コイルばねが掛けられた部位とがカードの挿入方向と略直交した一直線上に位置付けられるとともに、前記引張コイルばねの延在方向がカードの挿入方向と略平行になるように引張コイルばねを設けたことを特徴とするカード処理装置におけるカード係止構造。
【発明の詳細な説明】
【０００１】
【発明の属する技術分野】
本発明は、カード挿入口から挿入され手動によって装置内に取り込まれたＩＣカード等を、装置内のカード処理部でカードのデータを処理するために一時的に係止するカード処理装置におけるカード係止構造に関する。
【０００２】
【従来の技術】
一般に、この種のカード処理装置においては、手動によってカード挿入方向に移動することによりカード挿入口から挿入されたカードを保持しこのカードを装置内に取り込むカード取込み部材と、このカード取込み部材をカード排出方向に付勢する付勢手段とが備えられている。前記カード取込み部材の移動方向に平行な一側端には、係合凹部が設けられ、この係合凹部に係合および係合が解除されるように進退するロッドが備えられたソレノイドが設けられている。したがって、カード挿入口からカードが挿入されると、付勢手段の付勢力に抗してカード取込み部材をカード挿入方向に移動させ、ソレノイドのロッドをカード取込み部材の係合凹部に係合させることにより、カード取込み部材を係止し、この状態でカードのデータを処理する。カードの処理が終了すると、ソレノイドのロッドが後退し、係合凹部との係合が解除されることにより、付勢手段に蓄積された付勢力によって、カード取込み部材がカード排出方向に移動し、カードがカード排出口から排出される。
【０００３】
【発明が解決しようとする課題】
しかしながら、上述した従来のカード処理装置におけるカード係止構造においては、カードのデータを処理した後にカードをカード挿入口から排出するのに、単に、付勢手段によってカード取込み部材をカード排出方向に付勢した構造となっている。したがって、カード挿入口からカードを挿入した後、手動によってカード取込み部材をカード挿入方向に移動させていくと、付勢手段に蓄積される付勢力が徐々に大きくなり、ソレノイドによって係止させる最終の移動終端位置において付勢力が最大となる。このため、手に与える負荷も大きくなって、利用者の使い勝手が低下するばかりか、カード取込み部材を利用者が必要以上に強く押し込もうとすることによって機器を破損させるおそれもあった。
【０００４】
本発明は上記した従来の問題に鑑みなされたものであり、その目的とするところは、利用者の使い勝手を向上させるとともに、機器の破損を防止したカード処理装置におけるカード係止構造を提供することにある。
【０００５】
【課題を解決するための手段】
この目的を達成するために、請求項１に係る発明は、カード挿入口から挿入されたカードをカード取込み通路内に取り込み、一時的に停止させカード処理部によってカードのデータを処理した後に、カード挿入口から排出するカード処理装置におけるカード係止構造において、手動によってカード挿入方向に移動することによりカード挿入口から挿入されたカードを保持して取り込み、かつ移動方向に平行な一側端に係合凹部を設けたカード取込み手段と、このカード取込み手段をカード排出方向に付勢する第１の付勢手段と、前記カード取込み手段の係合凹部に係脱自在に係合し回動自在に支持された押圧部材と、この押圧部材と前記係合凹部との係合状態を保持または解除する係止手段と、前記押圧部材を前記カード挿入方向に付勢する第２の付勢手段とを備える。
したがって、カード取込み手段の係合凹部に押圧部材が係合すると、この係合部を介して第１の付勢手段の付勢力と反対方向に付勢する第２の付勢手段の付勢力がカード取込み手段に加わり、この第２の付勢手段の付勢力は、カード取込み手段のカード挿入方向への移動にともない徐々に大きくなる。
【０００６】
また、請求項２に係る発明は、請求項１に係る発明において、前記第２の付勢手段を、装置固定部と前記押圧部材との間に懸架した引張コイルばねとし、前記押圧部材の初期位置における回動中心と前記引張コイルばねの両端を結線した線分との距離を、前記押圧部材の回動終端位置における回動中心と前記引張コイルばねの両端を結線した線分との距離より小さくなるように設定したものである。
したがって、カード取込み手段の移動初期においては、押圧部材からの負荷は小さい。
【０００７】
また、請求項３に係る発明は、請求項１に係る発明において、前記第２の付勢手段を、装置固定部と前記押圧部材との間に懸架した引張コイルばねとし、前記カード取込み手段の係合凹部に係合し回動した前記押圧部材の回動終端位置において、この押圧部材の係合凹部との係合部と、押圧部材の回動中心と、押圧部材の前記引張コイルばねが掛けられた部位とがカードの挿入方向と略直交した一直線上に位置付けられるとともに、前記引張コイルばねの延在方向がカードの挿入方向と略平行になるように引張コイルばねを設けたものである。
したがって、カード取込み手段の移動終端位置において、押圧部材の押圧力が最大となる。
【０００８】
【発明の実施の形態】
以下、本発明の実施の形態を図を用いて説明する。図１は本発明に係るカード処理装置を正面側から視た全体の斜視図、図２は同じく背面側から見た全体の斜視図、図３は図５（ａ）におけるIII-III 線断面図である。図４は同じく要部を分解して示す斜視図、図５（ａ）は同じく正面図、同図（ｂ）は背面図である。図６（ａ）は図５（ａ）におけるVI（ａ）-VI（ａ） 線断面図、同図（ｂ）は図５の状態における移動部材とカード取込み部材との関係を示す平面図、同図（ｃ）は移動部材とカード排出部材との関係を一部を破断して示す正面図である。図７はカードの取込み動作中およびカードの排出動作中における固定カムとカード取込み部材との関係を説明するための要部の平面図である。図８はカードを装置内に挿入した状態を示し、同図（ａ）は正面図、同図（ｂ）は背面図である。
【０００９】
図９（ａ）は図８（ａ）におけるVIIII（ａ）-VIIII（ａ） 線断面図、同図（ｂ）は図８の状態における移動部材とカード取込み部材との関係を示す平面図、同図（ｃ）は移動部材とカード排出部材との関係を一部を破断して示す正面図である。図１０は押し込み部材を押し込み始めた状態を示し、同図（ａ）は正面図、同図（ｂ）は背面図である。図１１（ａ）は図１０（ａ）におけるXI（ａ）-XI（ａ） 線断面図、同図（ｂ）は図１０の状態における移動部材とカード取込み部材との関係を示す平面図、同図（ｃ）は移動部材とカード排出部材との関係を一部を破断して示す正面図である。図１２は同じくカードを取り込んだ状態を示す正面図、図１３は図１２におけるXIII-XIII 線断面図、図１４は同じくカードを取り込んだ状態を示す背面図、図１５は移動部材を押し込む押圧レバーの回転モーメントを説明するためのモデル図である。図１６（ａ）はカードの排出動作を説明するための正面図、同図（ｂ）は同図（ａ）における XVI（ｂ）-XVI（ｂ）線断面図である。
【００１０】
図１および図２において、全体を符号１で示すカード処理装置は、カード挿入口２２から挿入された非接触型ＩＣカード（以下、単にカードと称する。）８０を装置のカード取込み通路３２内に取り込んで、カード処理部３３によってカード８０のデータを処理した後、カード８０をカード挿入口２２から排出するように構成されている。そして、このカード処理装置１は、立設された基台２と、この基台２に矢印Ａ−Ｂ方向へ移動自在に支持された押し込み部材３と、この押し込み部材３に連動して矢印Ａ−Ｂ方向へ移動する移動部材４と、この移動部材４の移動量を変換する移動量変換手段５と、前記移動部材４に支持されカード保持するカード保持手段６と、前記押し込み部材３を一時的に係止する係止手段７とから概略構成されている。これら押し込み部材３、移動部材４、移動量変換手段５、カード保持手段６によって、後述するようにカード挿入口２２から挿入されたカード８０をカード取込み通路３２内に取り込むカード取込み手段を形成している。
【００１１】
次に、図１、図２、図５、図６、図７を用いて基台２について説明する。
図２において、基台２は全体が合成樹脂によって枠状に形成され、略中央には長方形の窓１０が設けられ、この窓１０の対向する上下端面には、前記押し込み材３の上下端部を挟持して押し込み部材３を矢印Ａ−Ｂ方向へ移動自在に支持するガイド溝（図示せず）が設けられている。基台２の前端上方には、下方および矢印Ａ方向が開口した小さいケース１１が取り付けられ、このケース１１の上部には小形の窓１２が設けられており、ケース１１の上部に固定された支持板１３には、図５（ａ）に示すように、この窓１２からケース１１内に臨む固定カム１５が一体に形成されている。
【００１２】
図７に示すように、この固定カム１５は、平面視において、直線状に形成された突出部１５ａと矢印Ａ方向へ向かって傾斜した面取部１５ｂとによって形成され、これら突出部１５ａと面取部１５ｂとの間に小突起１５ｃが設けられている。図５（ａ）および図６（ａ）に示すように、基台２の前端部には、有底角筒状の密閉空間としてのシリンダ部１７が設けられ、このシリンダ部１７は矢印Ｂ方向である後端側が開口され、前端部に断面が小径の空気抜き孔１８が設けられている。
【００１３】
次に、主に図４を用いて押し込み部材３について説明する。
押し込み部材３は全体が合成樹脂によって略平板状に形成され、後端部には、上述したケース１１内に嵌入可能な大きさの箱状のカード挿入口部２１が一体に形成され、このカード挿入口部２１の前部には、上下方向へ延在するカード挿入口２２が設けられている。この押し込み部材３の正面側の上部には、矢印Ａ−Ｂ方向へ延在する細長い長方形の凹部２３が設けられ、この凹部２３の中央から前方側に向かって細長い長方形のガイド窓２４が設けられており、この押し込み部材３の上端の前方側には係合凹部２５が設けられている。
【００１４】
押し込み部材３の前端部には、直方体状のピストン部２６が形成され、このピストン部２６の断面積は、上述した基台２のシリンダ部１７の断面積よりもわずかに小さく形成されている。上述したように、この押し込み部材３は、基台２に図中矢印Ａ−Ｂ方向、すなわちカード挿入方向とカード排出方向へ移動自在に支持され、カード挿入口部２１がケース１１内に嵌入し、ピストン部２６がシリンダ部１７内に嵌合し、図２に示すように裏面は略全体が基台２の窓１０から露呈している。この押し込み部材３のピストン部２６が基台２のシリンダ部１７内に嵌合していることにより、図６（ａ）に示すように、シリンダ部１７内は空気抜き孔１８を除いて略密閉状態となっている。
【００１５】
図２および図５（ｂ）に示すように、押し込み部材３と基台２との間には、第１の付勢手段である引張コイルばね２７が懸架され、この引張コイルばね２７の引張力によって、押し込み部材３は常時矢印Ｂ方向、すなわちカード排出方向へ付勢され、カード挿入口部２１の後端がケース１１に係止されている。また、この押し込み部材３は、押し込み部を手によって引張コイルばね２７の引張力に抗して矢印Ａ方向へ押し込むことにより、図１４に示すように、カード処理装置１が取り付けられたパネル２８まで、移動量Ｃだけ押し込み可能なように構成されている。
【００１６】
図１２に示すように、押し込み部材３が移動量Ｃだけ押し込まれると、後述するように、係止手段７によって、押し込み部材３が一時的に係止され、この状態では押し込み部材３のピストン部２６が基台２のシリンダ部１７の底部に当接している。図３に示すように、この押し込み部材３にカードの厚みよりもやや大きい間隔だけ隔てて対向するようにカバー３０が基台２に固定されており、このカバー３０のレール部３１と、これら押し込み部材３およびカバー３０とでカード取込み通路３２が形成されている。カバー３０は合成樹脂によって形成され、このカバー３０の外側にはカード処理装置３３が取り付けられ、このカード処理装置３３によって、カード取込み通路３２内に取り込まれたカード８０のデータが処理される。
【００１７】
次に、図４に用いて移動部材４について説明する。
移動部材４は、略直方体状の基部３５と、この基部３５から矢印Ｂ方向に一体に突出形成された延設部３６とによって全体が合成樹脂で形成されている。基部３５の上下端には、一対のガイド溝３７，３７（一方のガイド溝３７は図示せず）が設けられているとともに、基部３５の下端には、図６（ｃ）に示すように凸条体３８が設けられている。延設部３６の下端には底部３９が突設され、この延設部３６は断面がＬ字状に形成され、基部３５の端面から間隔Ｄだけ隔てられた部位に係合片４０が突設され、先端には、下方に向かって突設されたばね掛け止め片４１が一体に形成されている。この移動部材４は、基部３５の一対のガイド溝３７，３７が、上述した押し込み部材３のガイド窓２４の上下端部に係入されることにより、移動部材４に対して矢印Ａ−Ｂ方向へ移動自在に支持される。
【００１８】
次に、図２および図５（ｂ）を用いて移動量変換手段５について説明する。
移動量変換手段５は、上述した押し込み部材３の移動に連動して移動する移動部材４の移動量を、押し込み部材３の移動量よりも多く変換するものであって、この移動量変換手段５にはリンクレバー４５が備えられている。リンクレバー４５の下端は、基台２に枢着された枢着部材４６ａに植設されたピン４６に枢支され、略中央部はピン４７を介して可動部材である押し込み部材３に枢着され、上端は移動部材４に枢着された枢着部材４８ａに植設されたピン４８に枢支されている。
【００１９】
ピン４６とピン４７の距離をｌ１とし、ピン４６とピン４８の距離をｌ２とすると、ｌ１＜ｌ２に設定され、リンクレバー４５は、ピン４６を支点とし、ピン４７を重点とし、ピン４８を力点としたてことして機能する。したがって、押し込み部材３の矢印Ａ−Ｂ方向に移動させると、移動部材４が連動して矢印Ａ−Ｂ方向に移動し、押し込み部材３の移動量は、この移動量変換手段５を介して移動部材４に増大されて伝達される。
【００２０】
次に、図４および図６を用いてカード保持手段６について説明する。
図４において、カード保持手段６は、共に合成樹脂によって形成されたカード排出部材５０およびカード取込み部材５１と、引張コイルばね５２とによって構成され、移動部材４に支持されている。カード排出部材５０は、図中左端部に係合爪５３が一体に形成され、上端面に上述した移動部材４の凸条体３８が係入する係入溝５４が設けられ、右端にばね掛け止め部５５が設けられており、図６（ｃ）に示すように、係入溝５４の全長は凸条体３８の全長よりも長く形成され、遊びＥが設けられている。
【００２１】
このような構成において、係入溝５４内に凸条体３８を係入することにより、このカード排出部材５０は、移動部材４の下面と押し込み部材３の凹部２３の底面とに挟持されて矢印Ａ−Ｂ方向へ遊びＥだけ移動自在に支持され、係合爪５３がカード取込み通路３２内に臨んでいる。このカード排出部材５０のばね掛け止め部５５と、移動部材４のばね掛け止め部４１との間に懸架された引張コイルばね５２の引張力によって矢印Ｂ方向、すなわちカード排出方向へ付勢されている。
【００２２】
図４において、カード取込み部材５１は略中央から後端側に向かって鈍角をなすように折曲された折曲部５６が形成され、この折曲部５６は折曲された方向と反対方向へ弾性変形可能に形成されている。このカード取込み部材５１の両端には、第１および第２の係合部５７，５８が略直交するように折曲形成され、後端側の側部には上述した固定カム１５に係合する突起５９が設けられている。
【００２３】
このような構成において、カード取込み部材５１の第１の係合部５７を移動部材４の基部３５の端面と係合片４０との間に嵌入させることにより、図５（ａ）に示すように、カード取込み部材５１が移動部材４の底部３９に支承されるようにして移動部材４に支持される。このとき、カード取込み部材５１の先端（図中矢印Ｂ方向の端面）がケース１１の裏面に当接するとともに、図６（ａ）に示すように、突起５９が固定カム１５の突出部１５ａに対接し、第２の係合部５８が押し込み部材３のカード挿入口２２を開放している。同時に、カード取込み部材５１の突起５９が小突起１５ｃに係止され、カード取込み部材５１の第１の係合部５７と、移動部材４の係合片４０との間には遊びＤが形成されている。
【００２４】
次に、図１４を用いて係止手段７について説明する。
係止手段７は、回動自在に支持された押圧レバー６５と、この押圧レバー６５を回動させるように付勢する第２の付勢手段としての引張コイルばね７２と、この引張コイルばね７２の付勢力に抗して押圧レバー６５を係止する係止レバー７３と、この係止レバー７３と押圧レバー６５との係止を解除するソレノイド７７とによって構成されている。
【００２５】
押圧レバー６５は略クランク状に形成され、上部側に係止レバー７３の切欠部７４に係止される係止部６６が設けられ、下部側に押し込み部材３の係合凹部２５に係合する押圧部６７が設けられ、基台２に植設された軸６８を回動中心として回動自在に支持されている。この押圧レバー６５の略中央部に植設されたピン６９と、基台２に立設された固定板７０（図１参照）に植設されたピン７１との間に引張コイルばね７２が懸架され、この引張コイルばね７２の引張力によって、押圧レバー６５は図中反時計方向へ回動するように付勢されている。この引張コイルばね７２の引張力は、上述した引張コイルばね２７の引張力よりも小さく設定している。
【００２６】
図１５（ａ）において、軸６８をＧ点とし、引張コイルばね７２が懸架されたピン６９，７１をそれぞれＲ点、Ｉ点とし、押圧レバー６５の押圧部６７が押し込み部材３の係合凹部２５に係合する部位をＳ点とすると、Ｉ点とＲ点を結線した線分ＬとＧ点との距離Ｗが小さくなるように、Ｉ点とＲ点が設定されている。また、同図（ｂ）に示すように、後述するように、押し込み部材３が矢印Ａ方向へ押し込まれ、図１４において押圧レバー６５が二点鎖線で示したように係止レバー７３に係止された回動終端に位置した状態において、Ｓ点、Ｇ点、Ｒ点が鉛直方向へ略一直線上に位置付けられるように設定されている。また、このとき、Ｉ点とＲ点を結線した線分Ｌが、これらＳ点とＲ点を結線した線分と略直交するように設定されている。
【００２７】
係止レバー７３は図中右端部が固定板７０に植設されたピン７５に回動自在に支持され、左端部下面に切欠部７４が設けられ、固定板７０に植設されたストッパピン７６に左端が当接することにより、係止レバー７３は図中反時計方向の回動が規制されている。ソレノイド７７は固定板７０に固定され、常時突出する方向へ付勢されたロッド７８が備えられ、このロッド７８の下端部は係止レバー７３の中央に枢着されている。したがって、係止レバー７３は、このロッド７８の押圧力によって、ピン７５を回動中心として反時計方向へ回動するように付勢され、この状態で係止レバー７３の切欠部７４に押圧レバー６５の係止部６６の上端が係止されるように構成されている。また、ソレノイド７７に通電されると、ロッド７８が後退するので、係止レバー７３は、ピン７５を回動中心として時計方向へ回動し、係止レバー７３の切欠部７４と押圧レバー６５の係止部６６の上端との係止が解除される。
【００２８】
次に、このように構成されたカード処理装置におけるカードの処理動作を説明する。
図５（ａ）に示すように、カード処理装置１のカード取込み通路３２内にカード８０が取り込まれていない状態で、かつ押し込み部材３のカード挿入口部２１が手によって矢印Ａ方向へ押し込まれていない状態においては、図７（ａ）に示すように、カード取込み部材５１の突起５９が固定カム１５の突出部１５ａに対接している。したがって、図６（ａ）に示すように、カード取込み部材５１の折曲部５６が図中上方に弾性変形するので、折曲部５６の第２の係合部５８がカード押し込み部材３のカード挿入口２２から退避し、カード挿入口２２は開放され、カード８０を装置内に挿入可能な状態になっている。また、同図（ｂ）に示すように、カード取込み部材５１の第１の係合部５７と移動部材４の係合片４０とが互いに間隔Ｄだけ隔てられた状態が保持されている。
【００２９】
この状態で、図１に示すように、カード８０をカード挿入口２２からカード取込み通路３２内に挿入し、図８（ａ）に示すように、カード８０の後端が押し込み部材３のカード挿入口部２１の表面に一致するまでカード８０を押し込む。このように押し込まれたカード８０の前端がカード排出部材５０の係合爪５３に係合し、図９（ｃ）に示すように、カード排出部材５０が、引張コイルばね５２の引張力に抗して押し込まれたカード８０によって、停止状態に保持された移動部材４に対して矢印Ａ方向へ移動する。
【００３０】
次に、図１０（ａ）に示すように、押し込み部材３のカード挿入口部２１を手によって移動量Ｃ１だけ矢印Ａ方向へ押し込むと、同図（ｂ）に示すように、移動量変換手段５を介して移動部材４が矢印Ａ方向へＣ１よりも大きい移動量Ｄだけ移動する。この場合、カード８０がカード排出部材５０によって矢印Ｂ方向に付勢され、かつ指によってカード挿入口２２から抜け出ないように押さえられているので、カード８０は押し込み部材３と同じ移動量Ｃ１だけ移動する。
【００３１】
したがって、移動量Ｄだけ移動した移動部材４に矢印Ａ−Ｂ方向へ移動自在に支持され、移動量Ｃ１のカード８０の前端を係合爪５３によって係合しているカード排出部材５０は、引張コイルばね５２の引張力によって移動量（Ｄ−Ｃ１）だけ矢印Ｂ方向へ移動する。このとき、図１１（ｃ）に示すように、移動部材４の凸条体３８とカード排出部材５０の係入溝５４との間に遊びＤ１が形成されている。このため、カード排出部材５０には、矢印Ｂ方向への引張コイルばね５２の引張力が作用しており、カード８０も矢印Ｂ方向へ付勢されている。
【００３２】
また、移動部材４の係合片４０が矢印Ａ方向へ移動量Ｄだけ移動することにより、図１１（ｂ）に示すように、この係合片４０がカード取込み部材５１の第１の係合片５７に係合する。したがって、移動部材４の移動にもかかわらず、カード取込み部材５１は移動することがないので、カード取込み部材５１の第２の係合部５８も移動することがなく、ケース１１の裏面に当接したままの位置に位置付けられている。このため、この第２の係合部５８は、移動量Ｃ１だけ矢印Ａ方向へ移動したカード８０の後端よりも、図中矢印Ｂ方向へわずかにずれた位置に位置付けられている。また、カード取込み部材５１が矢印Ａ方向へ移動していないことにより、このカード取込み部材５１の突起５９は固定カム１５の突出部１５ａに対接し、小突起１５ｃに係止されたままの状態に保持されている。
【００３３】
さらに、押し込み部材３を矢印Ａ方向へ押し込むと、移動部材４も矢印Ａ方向へ移動し、移動部材４の係合片４０がカード取込み部材５１の第１の係合片５７に係合していることにより、カード取込み部材５１も矢印Ａ方向へ移動する。したがって、図７（ａ）に示すように、固定カム１５の小突起１５ｃに係止されたカード取込み部材５１の突起５９が、同図（ｂ）に示すように、小突起１５ｃ上に乗り上げ、同図（ｃ）に示すように、突起５９が小突起１５ｃ上を乗り越える。同図（ｄ）に示すように、突起５９が面取部１５ｂに対接するので、カード取込み部材５１の折曲部５６が、図中時計方向へ弾性復帰し、第２の係合部５８がカード８０の後端に係合する。このように、第２の係合部５８をカード８０の後端に係合または非係合とするのに、カード取込み部材５１の折曲部５６自体の弾性復帰を利用したことにより、部品点数が削減されるだけではなく構造が簡素化される。
【００３４】
このとき、図１１（ｃ）において上述したように、カード８０がカード排出部材５０を介して引張コイルばね５２の引張力によって矢印Ｂ方向へ付勢されているので、カード８０はこのカード排出部材５０とカード取込み部材５１とによって弾持されるようにして保持される。ここで、図６（ｂ）に示すように、移動部材４の係合片４０とカード取込み部材５１の第１の係合部５７との間に長さＤなる遊びを設けたことにより、カード８０の後端がカード取込み部材５１の第２の係合部の下方を通過するまで、カード取込み部材５１が移動しない。
【００３５】
したがって、図１１（ｂ）に示すように、第２の係合部５８がカード８０の後端に係合するときに、第２の係合部５８を通過し切っていないカード８０の後部に乗り上げるということが防止されるので、確実にカード８０の後端が第２の係合部５８によって保持される。しかも、引張コイルばね５２の引張力によって矢印Ｂ方向へ付勢されているカード排出部材５０の係合爪５３によってカード８０の前端が保持されているので、カード８０はこれらカード排出部材５０とカード取込み部材５１とによって弾持され、このためカード８０をカード保持手段６によって確実に保持することができる。
【００３６】
図１２に示すように、押し込み部材３のカード挿入口部２１を矢印Ａ方向へ押し込み量Ｃだけ押し込むと、移動量変換手段５を介して移動部材４が矢印Ａ方向へ移動量Ｃ２だけ移動し、この移動部材４と一体的にカード保持手段６が移動するので、カード８０も矢印Ａ方向へ移動量Ｃ２移動して、カード取込み通路３２に取り込まれる。このとき、図１２に示すように、押し込み部材３のピストン部２６の前端が基台２のシリンダ部１７の底部に当接している。このように、押し込み部材３の押し込み量Ｃに対して、カード８０がこれよりも大きい移動量Ｃ２だけ移動するので、カード８０の後端が押し込み部材３のカード挿入口２２から離間した状態でカード取込み通路３２内に取り込まれる。したがって、カード取込み通路３２内に取り込まれ、カード処理装置３３によってデータの処理が行われているカード８０を、カード挿入口２２から故意または誤って取り出すことが規制されるので、カード障害が発生するようなことがない。
【００３７】
また、カード８０を押し込み部材３の押し込み量よりも多く移動させる移動量変換手段５として、図５（ｂ）に示すようにリンクレバー４５の支点４６を基台２に設け、重点４７を押し込み部材３に設け、力点４８を移動部材４に設け、リンクレバー４５をてことしている。したがって、移動量変換手段５を構成する部品点数が削減されるとともに、構造が簡素化され、かつ装置の小型化が図られる。
【００３８】
次に、図１４および図１５を用いて、係止手段７による係止動作を説明する。図５（ｂ）に示すように、カード８０がカード挿入口２２から挿入されてなく、かつ押し込み部材３も押し込まれていない初期の状態においては、引張コイルばね７２によって軸６８を回動中心として図中反時計方向へ回動付勢された押圧レバー６５の押圧部６７は、押し込み部材３の上端を押圧している。
【００３９】
この初期の状態においては、図１５（ａ）に示すように、引張コイルばね７２の両端のばね掛け止め部Ｉ点，Ｒ点を結線した線分Ｌと、押圧レバー６５の回動中心Ｇとの距離Ｗが小さく設定されているので、引張コイルばね７２の引張力Ｆに対して、Ｒ点で発生する押圧レバー６５を回動させる回転モーメントＭ１は小さい。したがって、押し込み部材３の上端を押圧している押圧レバー６５の押圧部６７によるＳ点における回転モーメントＭ１も小さいので、この回転モーメントＭ１の分力である、押圧部６７によって押し込み部材３の上端を押圧する押圧力も小さい。このため、押し込み部材３を矢印Ａ方向へ押し込むときに、押し込む方向と反対方向へ作用する負荷が小さいので、押し込み部材３を押し込む手に負荷がかからない。
【００４０】
図５（ｂ）の状態から、上述したように、カード８０をカード挿入口２２から挿入し、押し込み部材３を矢印Ａ方向へ押し込み量Ｃだけ押し込む直前に、図１４に示すように、押圧レバー６５の押圧部６７の下端が押し込み部材３の係合凹部２５に係合する。このとき、上述したように、押圧レバー６５の押圧部６７の係合凹部２５に係合しているＳ点において、回転モーメントＭ１より大きい回転モーメントが発生し、この回転モーメントは徐々に大きくなる。この回転モーメントは押し込み部材３をカード排出方向、すなわち矢印Ｂ方向へ付勢している引張コイルばね２７と反対方向、すなわちカード挿入方向である矢印Ａ方向へ向かって発生している。
【００４１】
したがって、押し込み部材３を押し込む押し込み終端側において、引張コイルばね２７によるカード排出方向への付勢力が大きくなるが、この引張コイルばね７２の回転モーメントＭ１によって、引張コイルばね２７による付勢力の増大分が相殺される。このため、押し込み部材３を押し込む押し込み終端側において、手に負荷がかからないため、押し込み不足によるカード８０の取込み不良が防止される。
【００４２】
しかも、押し込み部材３の押し込み終端において、図１５（ｂ）に示すように、Ｒ点、Ｇ点、Ｓ点が鉛直方向へ一直線上に位置し、線分ＬがこれらＲ点、Ｓ点を結線した線分と直交するので、Ｒ点で発生するモーメントＭ２がＦと同一になって最大となる。このモーメントＭ２は、Ｓ点においても発生し、このＳ点でのモーメントＭ２の向きは、引張コイルばね２７と正反対となるので、引張コイルばね２７の引張力を最大限に緩和する。このため、この押し込み終端において、手に押し込みが完了した感触を与えるので、利用者に安心感を与えるだけではなく、利用者が押し込み完了前に押し込みを中止してしまうようなこともなくなるので、使い勝手が向上する。
【００４３】
この押し込み終端において、押圧レバー６５の係止部６６が係止レバー７３の切欠部７４に係合し、係止レバー７３がソレノイド７７のロッド７８によって常時軸７５を回動中心として図中反時計方向へ回動するように付勢されているので、引張コイルばね７２の引張力による押圧レバー６５の回動を規制する。したがって、この係止手段７によって押し込み部材３が係止されるので、カード８０も移動が停止した状態が保持され、この状態でカード処理装置３３によってカード８０のデータが処理される。このデータの処理中に、図１３に示すように、誤って２枚目のカード８０Ａがカード挿入口２２から挿入されても、カード取込み部材５１の第２の係合部５８がシャッタとして機能するので、この２枚目のカード８０Ａのカード取込み通路３２内への取込みが規制される。したがって、カード処理中の１枚目のカード８０のカード処理作業に障害が発生するのを防止できる。
【００４４】
データの処理が終了すると、ソレノイド７７に通電され、ロッド７８が後退することにより、係止レバー７３が軸７５を回動中心として時計方向へ回動するので、押圧レバー６５の係止部６５が切欠部７４との係合を解除される。ここで、押し込み部材３を排出する方向へ付勢する引張コイルばね２７の引張力の方が、押し込み部材３を取り込む方向へ付勢する引張コイルばね７２の引張力よりも大きく設定されているので、押し込み部材３は排出方向、すなわち図中矢印Ｂ方向へ移動する。
【００４５】
このとき、上述したように、基台２のシリンダ部１７の底部に、押し込み部材３のピストン部２６が当接していることにより、シリンダ部１７の底部とピストン部２６との間に空気が介在していない。しかも、このシリンダ部１７はピストン部２６によって密閉状態となっており、わずかに空気抜き孔１８が設けられているだけである。したがって、押し込み部材３が引張コイルばね２７の引張力によって矢印Ｂ方向へ移動を開始するときに、シリンダ部１７とピストン部２６との間に、引張コイルばね２７の引張力と反対方向へ作用する負圧が発生する。
【００４６】
このため、押し込み部材３が引張コイルばね２７の蓄積された大きな引張力によって、押し込み部材３が矢印Ａ方向へ急激に移動することなく、徐々に移動するので、カード挿入口２２から排出されるカード８０が、カード挿入口２２から誤って落下するのを防止できる。このように、押し込み部材３の排出開始時おける排出速度を一時的に減速するのに、基台２にシリンダ部１７を設け、押し込み部材３に設けたピストン部２６によって、シリンダ部１７を密閉状態とするだけでよく、部品点数が削減されるとともに、構造が簡素化され、かつ装置が小型化される。
【００４７】
図１６に示すように、押し込み部材３が矢印Ｂ方向へ移動し、カード取込み部材５１の突起５９が固定カム１５に近接し、さらに押し込み部材３が移動すると、図７（ｄ）に示すように、突起５９が固定カム１５の面取部１５ｂに係合し、突起５９が面取部１５ｂ上を図中右方に摺動する。同図（ｃ）に示すように、突起５９が固定カム１５の小突起１５ｃに係合することにより、カード取込み部材５１の折曲部５６が図中上方に弾性変形し、カード８０の後端とカード取込み部材５１の第２の係合部５８との係合が解除される。
【００４８】
ここで、図１６（ａ）に示すように、カード８０の前端は、引張コイルばね５２の引張力によって、カード排出部材５０の係合爪５３に弾持されているので、後端が第２の係合部５８との係合を解除されたカード８０は、引張コイルばね５２の引張力によって、矢印Ｂ方向へはじき出される。したがって、カード８０の後端は、押し込み部材３のカード挿入口２２から飛び出し、外部に露呈するので、利用者はこの露呈したカード８０の後端を指によって把持することができるので、カードが抜き取りやすくなり、使い勝手が向上する。
【００４９】
同図（ｂ）に示すように、突起５９が小突起１５ｃに乗り上げ、同図（ａ）に示すように、突起５９が小突起１５ｃを乗り越え、小突起１５ｃに係合することにより、図５（ａ）に示すように、押し込み部材３のカード挿入口部２１が基台２のケース１１内に嵌入し、押し込み部材３が初期位置に戻る。
【００５０】
本発明の実施の形態においては、非接触型ＩＣカードが利用できるカード処理装置としたが、接触型ＩＣカードが利用できるカード処理装置にも適用できる。また、カード取込み手段を、押し込み部材３、移動部材４、移動量変換手段５、カード保持手段６によって形成したが、これに限定されず、例えば、カード８０が収納されるポケット部を有するケース部材を手動によってカード取込み通路３２内を移動自在としてもよく、種々の設計変更が可能である。
【００５１】
【発明の効果】
以上説明したように、請求項１に係る発明によれば、利用者の使い勝手が向上するとともに、機器の破損を防止することができる。
【００５２】
請求項２に係る発明によれば、カード取込み手段の移動初期においては、押圧部材からの負荷は小さいので、手に大きな押し込みの負荷がかかることなく円滑に押し込むことができ、このため利用者の使い勝手が向上する。
【００５３】
請求項３に係る発明によれば、カード取込み手段の移動終端位置において、押圧部材の押圧力が最大となるので、手に掛かる負荷が軽減され、利用者の使い勝手が向上するとともに、機器の破損を防止することができる。
【図面の簡単な説明】
【図１】  本発明に係るカード処理装置を正面側から視た全体の斜視図である。
【図２】  本発明に係るカード処理装置を背面側から見た全体の斜視図である。
【図３】  図５（ａ）におけるIII-III 線断面図である。
【図４】  本発明に係るカード処理装置における要部を分解して示す斜視図である。
【図５】  図５（ａ）は本発明に係るカード処理装置の正面図、同図（ｂ）は背面図である。
【図６】  図６（ａ）は図５（ａ）におけるVI（ａ）-VI（ａ） 線断面図、同図（ｂ）は図５の状態における移動部材とカード取込み部材との関係を示す平面図、同図（ｃ）は移動部材とカード排出部材との関係を一部を破断して示す正面図である。
【図７】  本発明に係るカード処理装置において、カードの取込み動作中における固定カムとカード取込み部材との関係を説明するための要部の平面図である。
【図８】  本発明に係るカード処理装置において、カードを装置内に挿入した状態を示し、同図（ａ）は正面図、同図（ｂ）は背面図である。
【図９】  図９（ａ）は図８（ａ）におけるVIIII（ａ）-VIIII（ａ） 線断面図、同図（ｂ）は図８の状態における移動部材とカード取込み部材との関係を示す平面図、同図（ｃ）は移動部材とカード排出部材との関係を一部を破断して示す正面図である。
【図１０】  本発明に係るカード処理装置において、押し込み部材を押し込み始めた状態を示し、同図（ａ）は正面図、同図（ｂ）は背面図である。
【図１１】  同図（ａ）は図１０（ａ）におけるXI（ａ）-XI（ａ） 線断面図、同図（ｂ）は図１０の状態における移動部材とカード取込み部材との関係を示す平面図、同図（ｃ）は移動部材とカード排出部材との関係を一部を破断して示す正面図である。
【図１２】  本発明に係るカード処理装置において、カードを取り込んだ状態を示す正面図である。
【図１３】  図１２におけるXIII-XIII 線断面図である。
【図１４】  本発明に係るカード処理装置において、カードを取り込んだ状態を示す背面図である。
【図１５】  本発明に係るカード処理装置において、移動部材を押し込む押圧レバーの回転モーメントを説明するためのモデル図である。
【図１６】  同図（ａ）はカードの排出動作を説明するための正面図、同図（ｂ）は同図（ａ）におけるXVI（ｂ）-XVI（ｂ） 線断面図である。
【符号の説明】
１…カード処理装置、２…基台、３…押し込み部材、４…移動部材、５…移動量変換手段、６…カード保持手段、７…係止手段、２２…カード挿入口、２５…係合凹部、２７…引張コイルばね、３２…カード取込み通路、３３…カード処理装置、６５…押圧レバー、６６…係止部、６７…押圧部、７２…引張コイルばね、７３…係止レバー、７７…ソレノイド、８０…カード。
【図１】
0003690238.tif 000002
【図２】
0003690238.tif 000003
【図３】
0003690238.tif 000004
【図４】
0003690238.tif 000005
【図５】
0003690238.tif 000006
【図６】
0003690238.tif 000007
【図７】
0003690238.tif 000008
【図８】
0003690238.tif 000009
【図９】
0003690238.tif 000010
【図１０】
0003690238.tif 000011
【図１１】
0003690238.tif 000012
【図１２】
0003690238.tif 000013
【図１３】
0003690238.tif 000014
【図１４】
0003690238.tif 000015
【図１５】
0003690238.tif 000016
【図１６】
0003690238.tif 000017